(57)【要約】      （修正有）【課題】施工が簡易で見栄えが良い照明装置によって使用者の好みに応じた快適なトイレ空間照明装置を提供する。【解決手段】トイレ室に設置する照明装置の点灯部１０，１１，１２、および、点灯部１０，１１，１２の制御を行う制御部１４の少なくとも一部をトイレ室内の便器９の周囲に配設されたキャビネット１、カウンター５、手洗い器６からなる群より選ばれた少なくとも１種の設備の内部に設け、照明装置の点灯部１０，１１，１２の制御を行う信号線および照明装置の点灯部１０，１１，１２の電力線を設備の内部に設けることで、照明装置の点灯部１０，１１，１２と制御部１４と設備とのシステム的に一体化した。【選択図】図１
2010182680.tif 000002
【特許請求の範囲】
【請求項１】
トイレ室に設置する照明装置において、前記照明装置の点灯部および、前記照明装置の点灯部の制御を行う制御部の少なくとも一部を前記トイレ室内の便器の周囲に配設されたキャビネット、カウンター、手洗い器からなる群より選ばれた少なくとも１種の設備の内部に設け、
前記照明装置の点灯部の制御を行う信号線および前記照明装置の点灯部の電力線を前記設備の内部に設けることで、前記照明装置の点灯部と前記制御部と前記設備とのシステム的な一体化を図った事を特徴とする照明装置。
【請求項２】
前記制御部は、タイマー機能を有する事を特徴とする請求項１に記載の照明装置。
【請求項３】
前記制御部は照明装置の照明点灯時は徐々に照度が高くなるよう制御する事を特徴とする請求項１乃至請求項２記載の照明装置。
【請求項４】
トイレ室に設置する照明装置において、前記照明装置の制御部に信号を送信するセンサーの少なくとも一部をトイレ室内の設備に設けた事を特徴とする照明装置。
【請求項５】
前記センサーはトイレ室内の人体を検出する人体検出センサーである事を特徴とする請求項４記載の照明装置。
【請求項６】
前記人体検出センサーはマイクロ波もしくは画像認識装置を用いた事を特徴とした請求項５記載の照明装置。
【請求項７】
前記センサーはトイレ室内の明るさを検出するセンサーである事を特徴とする請求項６記載の照明装置。
【請求項８】
前記照明装置の制御を行う信号を電力線で搬送する事を特徴とする請求項１乃至請求項７記載の照明装置。
【請求項９】
前記照明装置の制御部に信号を送信するセンサーを温水洗浄便座に附設もしくは埋設した事を特徴とする請求項５乃至請求項７記載の照明装置。
【請求項１０】
前記照明装置はトイレ室内の一部分をスポット的に照明する事を特徴とする請求項１乃至請求項９記載の照明装置。
【請求項１１】
前記照明装置は間接的な照明である事を特徴とする請求項１乃至請求項１０記載の照明装置。
【請求項１２】
前記照明装置の照明方向を可変する可変駆動部を有する事を特徴とする請求項１乃至請求項１１記載の照明装置。
【請求項１３】
操作部による信号を前記制御部に入力可能とした事を特徴とする請求項１乃至請求項１２記載の照明装置。
【請求項１４】
前記照明装置の発熱部近傍に温度過昇防止装置を配置したことを特徴とする請求項１乃至請求項１３記載の照明装置。
【請求項１５】
前記照明装置の制御部に過電流保護装置を配置したことを特徴とする請求項１乃至請求項１４記載の照明装置。
【発明の詳細な説明】
【技術分野】
【０００１】
本発明はトイレルームに使用する照明装置に関するものである。
【背景技術】
【０００２】
第６図に一般的な従来のトイレ空間を示す。従来のトイレ室内の照明装置は、一般に明るくても６０W程度の照明装置であり、天井に固定されて設置されていた。この照明装置はトイレの入り口に設置されたスイッチを使用者が操作することで室内全体を照らす照明装置である。
【発明の概要】
【発明が解決しようとする課題】
【０００３】
一般的にトイレ室内は上記したように暗い空間であり、且つ単一照明であるため使用者や便器などの影になって手元や足元などが更に暗くなっていた。このため、高齢者など手足がおぼつかない使用者にとっては使用しづらく、危険であった。
【０００４】
またトイレ室内はくつろぎを求められるにも関わらず、天井もしくは壁からの直接的な単一の照明装置しか備えておらず、装飾的な雰囲気がなく明るい雰囲気が出しづらいものであった。さらにトイレ室内で新聞や本などを読む使用者にとってはトイレの単一照明は暗くて視力に悪影響を及ぼしてしまう恐れがあった。
【０００５】
老朽化をきっかけにトイレの改造を行う場合に使用者の要望として多いのは上記を踏まえてトイレを明るくしたいという要望である。しかし、装飾用の照明装置やスポット的に手元足元を照らす照明をトイレ全体照明とは別途にトイレ室内に設置した場合、使用者は複数の照明装置のスイッチを個別に操作しなければならず、スイッチ操作は当然の事ながら煩雑となり、使用者にとって甚だ使用しづらいものとなる。さらにトイレは外から照明の切り忘れなどに気づきにくいため、うっかりスイッチを切り忘れて電気を無駄に浪費してしまったりしていた。
【０００６】
また、これらの照明装置を設ける場合、特に増改築にあっては配線処理の電気配線工事には、壁面をやり直す工事が必要となる場合が多く、高額な費用や工事日数を要してしまっていた。反対に配線処理を怠って配線をむき出しにすると見栄えを悪いものとなるばかりでなく、子供が触れる恐れがあって危険なものとなってしまっていた。
【０００７】
トイレ全体の照明装置、手元・足元のスポット的な照明装置および装飾的な照明装置、これら複数の照明装置をひとつのスイッチで兼用した場合には、スイッチ操作は簡単になる。しかしこの場合には照明を独立して点灯することができないため、例えば窓からの採光で十分明るい昼間でも手元・足元の照明を無駄に点灯させてしまったり、夜中では一度に照明がつくことで眩し過ぎるように感じてしまうなうなどして使用勝手が良くないものとなってしまっていた。
【０００８】
本発明は以上の問題点を解決し、簡易な工事で設置ができ、見栄えが良い、使用操作が簡単で消し忘れのない、装飾的あるいは手足の部分的な照明が簡単に可能で、かつ安全なトイレ室内の照明装置を使用者に提供する事を目的とする。
【課題を解決するための手段】
【０００９】
上記目的を達成するために本発明は、トイレ室内に設置したキャビネットやカウンター、手洗い器などの設備内部に照明装置の点灯部および、照明装置の点灯部の制御を行う制御部の少なくとも一部を設置した。照明装置は制御装置を備えることで自由な制御が可能となるのみならず、トイレ設備内に制御部を設けているため、外観の見栄えも良く、また、子供が誤って制御部に触れてしまうこともなく、安全である。
【００１０】
さらに前記制御部は、トイレ室内の使用者を検出する人体検出部からの出力に基づいて、照明装置の制御を行ったり、タイマー機能をもって制御することにより、きめ細やかな制御が可能で、使用勝手に優れている。また、制御部が照明装置の照明点灯時は徐々に照度が高くなるよう制御する事で、暗い夜中にトイレに入った時にいきなり明るくなって眩しくなることもなく、快適である。
【００１１】
トイレ室内の設備には、上記した人体検出センサーやトイレ室内の明るさを検出する照度センサーなどのセンサーが附設され、これらのセンサーの出力信号は照明装置の制御部へ入力されることによって、使用者の動きや、トイレ室内の明るさに応じて、さらに快適に照明装置を作動させる様に制御することが可能となる。制御部と同じようにセンサーがトイレ室内の設備に附設して設けられる為、センサーが単独で露出しないので見栄えが良く、かつ確実に設置することができる。
【００１２】
人体検出センサーはトイレ室内の人の有無を検出するのみならず、その動作を検出するものが好ましくマイクロ波を用いたセンサーであったり、もしくは画像認識装置によって、使用者を特定認識できるものであったりするとさらに好ましいものである。
【００１３】
上記センサーからの信号を制御部に送信する信号線や照明装置の電力線などは、トイレ室内の設備内に設置されるため、見栄えも良い。また配線処理に苦慮することもなく確実に配線が固定できる。さらに配線を子供が悪戯で引っ張ったり、トイレ掃除時に誤って引っ張ったりして線を損傷することもなく、従って機器・人体ともに安全である。
【００１４】
さらに本発明の好ましい態様としては、照明装置の制御を行う信号を電力線で搬送することで、電線の本数を減らす事ができる。
【００１５】
温水洗浄便座の設置されるトイレ空間においては、人体検出センサーなどの信号を照明装置の制御部に信号を送信する事で、人体検出センサーを温水洗浄便座と照明装置で兼用することができ、コスト上安価な装置を提供することが出来る。
【００１６】
上記で述べた照明装置はトイレ室内において、手元や足元などを照らすことで弱視になり易い高齢者の安全を図って使用したり、トイレで読書をする使用者のスポット的な手元照明として使用することができる。あるいはトイレ壁面や棚などに飾った装飾品を照らす事によって、トイレをより快適な空間として演出することが可能となる。これらの照明は直接光を投光する直接照明でなくとも良く、場合によっては間接的に光を投光する間接照明を用いることで、さらに効果的である。
【００１７】
照明装置は照明方向を可変する可変駆動部を有しており、手動もしくは自動で照明方向を変更することが出来る。自動の場合は前記した照明装置の制御部が可変駆動部を制御すると照明の点灯やセンサーなどと連動して駆動することができ、またセンサーや制御部が兼用できるため、機能的、コスト的により好ましい。
【００１８】
照明装置には操作部が設けられている事によって、使用者に応じて制御方法を変更することが出来る為、自由度が大きく、使用勝手が良い。
【００１９】
さらに照明装置の発熱部近傍には温度過昇防止装置が配置されているため、万一照明装置が発熱した場合も火災に至ることなく安全に使用することができる。また、制御部には電流ヒューズなどの過電流保護装置が設けられており、過電流が流れた場合なども安全に装置を停止状態とすることができ、さらに安全性が増す。
【発明の効果】
【００２０】
トイレ室内のキャビネットなどのトイレ設備に照明装置の制御部やセンサー、あるいは配線を埋設するように構成したので、使用者は快適かつ安全に照明装置を使用することができる。また使用者は配線のためにトイレ壁面を改修するなどのわずらわしい工事を行う事がなく見栄えも良いものとなる。従って安価にまた手軽にトイレ室内の照明を装飾として用いる事ができる。また各種のセンサーや操作部の入力に基づいて照明装置を細かくかつ自動的に制御することが出来るので、使用者にとっては煩わしい操作もなく快適に使用することができ、電気の浪費もない。照明には温度ヒューズなどの過電流防止装置やバイメタルなどの温度過昇防止装置を近接させたので、照明装置が万一異常な温度になった場合でも安全に停止する事ができる。
【図面の簡単な説明】
【００２１】
【図１】本発明を示す一実施例の外観図である。
【図２】本発明の制御部の一実施例を示すブロック図である。
【図３】本発明の操作部を示す一実施例の外観図である。
【図４】本発明を示す一実施例の制御フローチャートである。
【図５】本発明を示す一実施例の出力シーケンスタイミングチャートである。
【図６】従来のトイレ空間を表わす模式図である。
【発明を実施するための形態】
【００２２】
第１図は本発明の好適な１実施例を示すトイレ室内の外観図である。トイレ室内に設置される設備として、便器洗浄の水を蓄えるロータンクを収納するキャビネット１、キャビネットの側部にはサイドカウンター５、サイドカウンター５の先には手洗い器６が設置されている。手洗い器６の下にはサイドキャビネット７が置かれ、トイレ室内にはこのほかに便器９や温水洗浄便座８などが設置されている。
【００２３】
キャビネット１は上段部、中段部、下段部の３つにより構成される。キャビネット上段部４には収納棚１８が設けられ、タオルやトイレットペーパーなどのトイレ用品を収納することが出来るようになっている。収納棚１８の側部にはその光軸が可動自在な照明装置１１が取り付けられている。また、キャビネット上段部４にはトイレ室内の使用者の有無や個人認識を行うために、人体検出センサー２０や個人識別センサー２１が埋設されており、トイレ室内の照度を検出する為に照度センサー１９が同じく埋設されている。
【００２４】
照度センサー１９は使用者の影になりにくい上部に、また人体検出センサー２０や個人認識センサー２１は使用者を速やかに検出できるようにトイレの入室口に向いて配置されている。勿論これらのセンサー配置はそれぞれの目的に応じて好ましい位置に取り付けられるようにするべきで、図示した以外の場所でも良いことは言うまでもない。
【００２５】
使用者の視線が向かいがちなキャビネット中段部３にはカウンター１３が設けられ、カウンター１３の上には使用者の好みに応じて観葉植物１７や（図示しないが）写真を立て掛けたりすることが出来るようになっている。キャビネット中段部３の奥面にコルクボードなどを設置してカレンダーや写真が貼りつけられるようにしても好ましい。そして、カウンター１３上には間接的な照明装置５が設置されている。
【００２６】
キャビネット下段部２には、トイレ洗剤や清掃用ブラシといったトイレ用品が収納される収納空間（図示せず）が設けられている。キャビネット下段部２には照明装置１０、１１および後述する照明装置１２を制御する制御部４が収納されている。制御部４は湿度やトイレ独特の雰囲気などによる腐食に絶えられるように制御基板はケースに収納されて樹脂モールドされ、結露水の付着や結露水だまりを防止するためにケースを上方にしてモールド面を下方にするようにキャビネット内に固定される。あるいは制御基板を横や斜めに配置することも有効である。また、基板を収納するケースは万一の電子部品損傷による発火による家屋の焼損を防止する為に、少なくとも一部が難燃性の樹脂あるいは金属材料で作られている。
【００２７】
使用者が扱いやすいトイレ側壁のサイドカウンター５には照明装置の制御の操作部として操作部１５が設置されており、見栄えをすっきりとしたものにするために通常はカバーにて覆われている。手洗い器６下方にあるサイドキャビネット７の下方には足元を照らすための照明装置１２が設置されている。
【００２８】
照明装置１０、１１、１２と制御部１４、あるいは制御部１４と操作部１５、人体検出センサー２０、個人認識センサー２１、照度センサー１９の各々は第１図の点線２２に示すようにキャビネット内を通る信号線や電力線によって接続されている。これらの電線はキャビネット内部で配線固定される様に構成されている。例えば、化粧柱１６はキャビネット上段部４をキャビネット下段部２に支える柱としての役割のみならず、電力線を覆い隠すことが出来る様に中空に作られている。また図示していないが、その他の配線はキャビネット内に固定できる様に固定具がキャビネットの適当な位置に設置されており、キャビネット内部でふらつかないようになっている。尚、配線は引き回すことによってノイズを拾う事がないようにシールド線を用いるとより好ましい。
【００２９】
キャビネット上段部４に設けられた照明装置１１は可動式機構を持ち、操作部１５の操作によって照明装置近傍に設置されたモータが駆動して照明の光軸が上下左右に変えられるようになっている。また、モータによる駆動でなくとも手動で可動自在となるように構成されていても良い。この照明装置はレンズを用いることによってトイレ使用者の手元をスポット的に照らすことが出来る。
【００３０】
キャビネット中段部３のカウンター１３に設けられた照明装置１０は間接的な照明装置であり、カウンター１３上に使用者が飾った観葉植物や写真、あるいは奥面を照らす。間接的な照明を用いることによってやわらかい照明感を演出することができる上に、トイレに入室した使用者に眩しくないので快適である。
【００３１】
サイドキャビネットに設けられた照明装置１２もまた間接的な照明装置であり、トイレ室内の床付近を照らすよう設置されている。床面に近い低い位置から足元を照らす為、便器や使用者自身の影で暗くなることもなく足元を確実に照らすことができ、高齢の使用者にとっても安全で快適に使用することができる。さらに間接照明であることによって、照明の光が使用者の目に直接入ることがなく、眩しくないので快適である。
【００３２】
上記した複数の照明装置１０、１１、１２は着脱が自在に出荷できるよう構成されており、制御部４はこれらの照明装置の有無を検出し、照明装置の有無に応じて制御できるようにできている。
【００３３】
第３図は操作部１５の操作パネルを表わす１実施例である。運転スイッチ５１は制御を入／切するスイッチで運転「切」にすると照明装置の制御「切」の状態となる。長時間使用しない場合、あるいは一定期間使用を中止する場合には運転「切」とすることで省エネを図ることが出来る。明るさセンサー入／切スイッチ５１は照度センサー入力の有効／無効を意味しており、スイッチ「切」状態では照明装置が照度センサーの入力を無視して制御される。通常はスイッチを「入」にすることでトイレ室内の明るさに応じて照明制御を行うが、特にこれを用いたくない使用者にはスイッチ「切」状態で使用する事もできるわけである。ボリュームスイッチ５３、５４、５５は各々照明装置１２、１１、１０の照明照度（即ち照明出力）を調整する為のボリュームであり、使用者の好みに応じて任意に設定できるようになっている。従って使用者はそれぞれの照明装置について自分の好みの光強度を設定することができる。またボリュームを「切」位置に設定することで、設定した照明を消灯することもできる。さらに照明方向スイッチ５６を操作することによって照明装置１１の照明の光軸を自由に可変することが出来るため、使用者が照らしたい部分を自由に選択できるようになっており使用の自由度が格段に増す。
【００３４】
第２図は本発明の照明装置を制御する制御部４の一例を示すブロック図である。制御部４は大きく保護回路２５、電源回路部２６、中央演算装置（以降ＣＰＵとよぶ）２７、入力回路部２８、出力回路部２９から成り立っており、入力回路部２８には照度センサー１９、人体検知センサー２０、個人認識センサー２１、操作部１５からの信号が入力される。
【００３５】
保護回路部２５は制御部４の保護素子で構成され、主にはノイズ防止素子、過電圧保護素子（図示せず）と過電流保護素子３１から成り立っている。特に過電流保護装置３１は電流ヒューズなどであり、機器の万一のショートなどによって過大な電流が流れて制御部や照明装置が破損・焼損しないように設置されている。電源回路部２６では制御に必要な直流電流を作り出している。ＣＰＵ２７内部にある照度（出力）調節部３２とタイマー機能部３３、センサー入力判断部３４、操作部入力判定部３５の情報によって、出力判定部３６は照明装置の出力時間と出力強度を判断する。そして出力信号発生部３７からの信号に応じて照明出力スイッチング部Ａ、Ｂ、Ｃ（各々図示する３８、３９，４０）によって照明装置が駆動される。照明装置の出力可変は、電圧を可変したり、オン時間のデューティーを可変したりして制御される。また、照明方向可変駆動部４１によって、照明装置の光軸が可変される。勿論、照明出力スイッチング部Ａ、Ｂ、Ｃは夫々独立して駆動することができるようになっているので、照明装置は各々独立した照明強度、照明点灯／消灯タイミング、を持つことができることになる。既述したようにこれら３つのスイッチング部は操作部の設定ボリューム５３、５４、５５に応じて照明装置３８、３９、４０の光強度（出力）は独立して可変できる。
【００３６】
つづいて、制御部４の制御フローチャートの実施例について、第４図（ａ）に示す。
【００３７】
操作部１５の明るさセンサー入／切スイッチ３１が「入」の時には、ステップＳ０２からステップＳ０３へ進み、照度センサーによって検出された照度Ｓ０が取り込まれ、ステップ０４で予め基準値として設定された要求照度値Ｓと比較される。検出照度Ｓ０が要求照度Ｓ以下であった時（即ちトイレ室内が暗いことを意味する）にはステップＳ０５へと移行する。検出照度Ｓ０が要求照度Ｓ以上の時（即ち昼間などでトイレ室内が十分に明るいことを意味する）にはそのままステップＳ０９へ進行し終了する。従って、窓があるトイレで昼間などトイレ室内が明るい時に無駄に照明を付けて電力が無駄に浪費されることが防止されて好ましい。
【００３８】
ステップＳ０５では人体検出センサー２５によってトイレ室内の人体検出を行い、トイレ室内に人がいない時にステップＳ０９へ移行し、使用者が居ない時に無駄に照明を付けないようになっている。ステップＳ０５でトイレ室内に使用者が検出された場合には、ステップＳ０６へと進行する。
【００３９】
ステップＳ０６では個人認識センサー２６によって個人識別が行われ、その出力に基づいて、個人個人にあった出力方式が選定される。出力方式ＡであるＳ０８では第１図の照明装置１０、１１、１２を全て駆動し、出力方式ＢであるＳ０９では第１図の照明装置１０、１１のみを駆動する。例えば識別したトイレ使用者が高齢者の場合には足元の照明１２を照らし、トイレ使用者がその他の場合には足元の照明１２は照らさずに節電することが可能であり、使用者は個人に適して快適に使用することができる。さらに上記した聡明装置の出力有無のみに関わらず、照明の強度や照明の光軸などを識別した個人で設定するとさらに快適な空間とすることができる。
【００４０】
第５図に本発明の照明装置の出力シーケンスの１実施例を示す。照明装置を制御する制御部４はＣＰＵ出力を内臓するため、シーケンス的な動作も簡単に実施可能である。図中の出力Ａ、Ｂ、Ｃはそれぞれ第１図の照明装置１１、１０、１２の出力を表わす。
【００４１】
照度センサーの検出照度値が低い（即ちトイレ室内が暗い）時に人体検出センサー２５がトイレ室内に使用者を検出すると、出力Ｂと出力Ｃが最大出力となる（Ｔ１）。つまり、使用者がトイレ室内に入るとキャビネット中段部３にある照明装置１０が点灯し、キャビネット中段部のカウンター１３上に飾られた観葉植物や写真などを照らし出し、装飾的な雰囲気を増長することで使用者に快適感を与えることができる。さらにサイドキャビネット７下方にある照明装置１２が点灯することで、足元が照らし出され、安心して便座に着座することができる。手元を照らす照明装置１１の出力Ａは使用者が眩しくないように徐々に出力を上げていくように配慮されており、目に優しい。反対に照明装置１０、１２は使用者が着座してしまうと意味合いが薄くなるので、出力を低下させて節電すると共に、複数の照明装置が同時に点灯することで電気配線容量を圧迫しないので好ましい（Ｔ１〜Ｔ２）。
【００４２】
人体検出センサーがトイレ室内の使用者を検出しなくなると、使用者が退室していると見なし、照明装置１２が一定時間徐々に照度を落としながら足元をサポートする。その他の照明装置１０、１１は消灯する（Ｔ２）。
【００４３】
照度センサーの検出照度値が高い（即ちトイレ室内が明るい）時に人体検出センサー２５がトイレ室内に使用者を検出すると、出力Ａは消灯したまま、出力Ｂと出力Ｃが出力を押さえて補助的に点灯される（Ｔ３）。
【００４４】
以上述べてきたように、制御部４と各種のセンサーを用いることによって、トイレの照明装置を無駄無く使用することができ、使用者にとってはトイレでの快適感が格段に向上する。さらに、これらの制御部やセンサーはトイレ室内の設備に設けられている為、見栄えも良く、また配線工事なども安価に簡単に行うことができる。
【００４５】
尚、本発明で述べた各種のセンサーはその目的を達成するものであれば上記したものに限らない。人体検出センサーは、赤外光を用いてもよいし、マイクロ波を用いても良い。マイクロ波を用いた人体検出センサーを用いれば、ドップラー効果を利用して使用者の動きを確認することができ、さらにセンサー部もキャビネット内部に収納することができて見栄えも良い。この他単純に使用者から反射する光量で人体を検出しても良いし、測距センサーを用いても良い。多面レンズ体を用いて使用者の動作を検出しても良い。また人体検出センサー２５と個人識別センサ２６は個別にある必要性はなく、目的を兼用する一つのセンサーでもよい。さらに人体検知センサーなどは温水洗浄便座や暖房便座の人体検知センサを用いるものであっても良い。
【００４６】
以上述べてきた以外にも、制御部４を用いて照明装置を有効に活用することもできる。例えば近年、トイレ室内に観葉植物を設置する家庭も少なくないが、アパートやマンションなどではトイレ室に窓が設けられていない場合が多く、観葉植物を設置したとしても、この観葉植物に光が当るのは居住者がトイレを使用する非常に少ない時間のみに限られてしまい、やがては枯れてしまっていた。しかしながら、タイマー機能を使って運転することによって効率よく植物だけに一定時間光を当てて植物を育てる事などもでき、わざわざ屋外に植物を出す煩わしさから解放される。
【００４７】
照明装置には図示しないが、照明発熱部近傍にバイメタルスイッチなどの安全装置が設けられており、万一故障で照明装置が発熱した場合などにも家屋へ延焼しない様に設計されている。また、制御部４のＣＰＵにはタイマー機能が設置されているため、故障などで、異常に長い時間トイレ照明がついていた場合にはタイマーで自動的に照明を消灯する安全装置などを設ける事も可能となり、さらに安全性が高まる。
【符号の説明】
【００４８】
１…トイレキャビネット（全体）
２…トイレキャビネット下段部
３…トイレキャビネット中段部
４…トイレキャビネット上段部
５…サイドカウンター
６…手洗い器
７…サイドキャビネット
８…温水洗浄便座
９…便器
１０…照明装置
１１…照明装置
１２…照明装置
１３…カウンター
１４…制御部
１５…操作部
１６…化粧柱
１７…観葉植物
１８…収納棚
１９…照度センサー
２０…人体検知センサー
２１…個人認識センサー
２２…配線
２５…保護回路部
２６…電源回路部
２７…ＣＰＵ
２８入力回路部
２９…出力回路部
５０…操作パネル
５１…運転入／切スイッチ
５２…明るさセンサー入／切スイッチ
【図１】
2010182680.tif 000003
【図２】
2010182680.tif 000004
【図３】
2010182680.tif 000005
【図４】
2010182680.tif 000006
【図５】
2010182680.tif 000007
【図６】
2010182680.tif 000008